(57)【要約】【課題】バヨネット方式のレンズのマウント構造において、マウントリングの緩みとマウントリングの不完全な装着を防止することを目的とする。【解決手段】投射型表示装置は、レンズ本体の外周面に装着され爪を有するバヨネットリングとレンズ受け座に回転可能に装着されたマウントリングの間のバヨネット方式の締結により、レンズ本体をレンズ受け座に装着するように構成されている。レンズ本体を保護するためのレンズカバーが設けられ、該レンズカバーには、マウントリングが緩む方向に回転することを阻止するための第１のリブと、マウントリングが不完全に締められているときに、レンズカバーが装着されることを阻止するための第２のリブが設けられている。【選択図】　図２
2004054040.tif 000002
【特許請求の範囲】
【請求項１】
レンズ本体に設けられた爪とレンズ受け座に設けられたマウントリングとをバヨネット方式により締結させることにより上記レンズ本体を上記レンズ受け座に装着するように構成されたレンズのマウント装置において、
上記レンズ本体を保護するためのレンズカバーが設けられ、該レンズカバーには、上記マウントリングが緩む方向に回転することを阻止するための第１のリブが設けられていることを特徴とするレンズのマウント装置。
【請求項２】
請求項１記載のレンズのマウント装置において、上記第１のリブは、上記マウントリングが緩む方向に回転すると上記マウントリングに設けられた回転レバーに当接するように構成されていることを特徴とするレンズのマウント装置。
【請求項３】
請求項１記載のレンズのマウント装置において、上記レンズカバーには、上記マウントリングが不完全に締められているときに、上記レンズカバーが装着されることを阻止するための第２のリブが設けられていることを特徴とするレンズのマウント装置。
【請求項４】
請求項３記載のレンズのマウント装置において、上記第２のリブは、上記マウントリングが不完全に締められているときに、上記レンズカバーが装着されると、上記マウントリングに設けられた回転レバーに当接するように構成されていることを特徴とするレンズのマウント装置。
【請求項５】
レンズ本体と該レンズ本体の外周面に装着され且つ外周部に爪を有するバヨネットリングとを有する投射レンズと、レンズ受け座と、該レンズ受け座に回転可能に装着されたマウントリングと、を有し、上記バヨネットリングの爪と上記マウントリングの間のバヨネット方式の締結により上記投射レンズを上記レンズ受け座に装着するように構成された投射型表示装置において、
上記投射レンズを保護するためのレンズカバーが設けられ、該レンズカバーには、上記マウントリングが緩む方向に回転することを阻止するための第１のリブと、上記マウントリングが不完全に締められているときに、上記レンズカバーが装着されることを阻止するための第２のリブが設けられていることを特徴とする投射型表示装置。
【発明の詳細な説明】
【０００１】
【発明の属する技術分野】
本発明は、レンズ本体をレンズ受け座に装着するためのレンズのマウント装置及びそれを使用する投射型表示装置に関する。
【０００２】
【従来の技術】
近年、大型のスクリーンに映像を投影するための投射型表示装置が普及している。投射型表示装置は、スクリーンの大きさやスクリーンまでの距離に応じて投射レンズを選択し、交換することができるように構成されている。
図５を参照して従来の投射レンズの交換構造を例を説明する。投射レンズ１０は本体１２とその内端部の外周面に沿って装着されたレンズマウント１６を有し、レンズマウント１６の４隅には孔１６ａが設けられている。投射型表示装置の本体側にはレンズ受け座プレート３０が設けられ、レンズ受け座プレート３０には中心孔３４が設けられ、更に４隅にはねじ孔３０ａが設けられている。
【０００３】
投射レンズ１０をレンズ受け座プレート３０に装着する場合、投射レンズ１０の内端部をレンズ受け座プレート３０の中心孔３４に挿入し、ビス３６をレンズマウント１６の孔１６ａに挿入し、レンズ受け座プレート３０のねじ孔３０ａに締結する。
【０００４】
特開平１０−２５４０４２号にはバヨネットマウント方式の撮像レンズのマウント構造が記載されている。撮像レンズ鏡胴にはバヨネットリングが設けられ、撮像装置の本体側にはレンズ鏡胴受け座とマウントリングが設けられている。撮像レンズ鏡胴の内端部をレンズ鏡胴受け座に着座させ、マウントリングを回転させることにより、撮像レンズ鏡胴はレンズ鏡胴受け座に固定される。
【０００５】
この例では、撮像レンズ鏡胴の外周面にストッパ溝が設けられ、マウントリングにはストッパ兼用の回転レバーが設けられている。撮像レンズ鏡胴をレンズ鏡胴受け座に固定した後に、回転レバーを半径方向内方に移動させ回転レバーの内端を撮像レンズ鏡胴のストッパ溝に係合させる。こうして回転レバーをストッパ溝に係合させることにより、撮像レンズ鏡胴が回転することが防止され、撮像レンズ鏡胴が緩むことが防止される。
【０００６】
【発明が解決しようとする課題】
図５に示した例では、投射レンズ１０を交換するとき、ビスを取り外し、更に再度装着する必要がある。
特開平１０−２５４０４２号に記載された例では、撮像レンズ鏡胴の緩みを防止するために、マウントリングに雌ねじを設け、ストッパ兼用の回転レバーに雄ねじを設け、回転レバーを半径方向内方に移動させることができるよう構成されている。
【０００７】
また、この例では、撮像レンズ鏡胴の内端部をマウントリング及びレンズ鏡胴受け座に着座させたときに、ストッパ兼用の回転レバーが撮像レンズ鏡胴のストッパ溝上に配置されていなければならない。従って、撮像レンズ鏡胴の内端部をマウントリング及びレンズ鏡胴受け座に着座させるときに、撮像レンズ鏡胴の回転方向の位置決め機構を設ける必要がある。この例では、位置決め機構として、撮像レンズ鏡胴の外周面にピンを設け、レンズ鏡胴受け座にピンを受け入れるためのガイド穴が設けられている。
【０００８】
このように、従来の例では、撮像レンズ鏡胴の緩みを防止するための構造が複雑であり、しかも、撮像レンズ鏡胴を交換する場合に、ストッパ兼用の回転レバーを操作する必要があり、レンズ交換作業に時間がかかる。
本発明の目的は、投射型表示装置において、簡単な構造のバヨネット方式のレンズ交換構造を提供することにある。
【０００９】
本発明の目的は、レンズ本体の緩みを防止することができるバヨネット方式のレンズのマウント構造及びそれを使用する投射型表示装置を提供することにある。
本発明の目的は、レンズ本体がレンズ受け座に不完全に装着されることを防止することができるバヨネット方式のレンズのマウント構造及びそれを使用する投射型表示装置を提供することにある。
【００１０】
【課題を解決するための手段】
本発明によると、レンズ本体に設けられた爪とレンズ受け座に設けられたマウントリングとをバヨネット方式により締結させることにより上記レンズ本体を上記レンズ受け座に装着するように構成されたレンズのマウント装置において、
上記レンズ本体を保護するためのレンズカバーが設けられ、該レンズカバーには、上記マウントリングが緩む方向に回転することを阻止するための第１のリブが設けられている。
【００１１】
上記第１のリブは、上記マウントリングが緩む方向に回転すると上記マウントリングに設けられた回転レバーに当接するように構成されている。
本発明によると、簡単な構造により、マウントリングの緩みを防止することができるため、レンズ本体が脱落することが防止される。
【００１２】
本発明によると、上記レンズカバーには、上記マウントリングが不完全に締められているときに、上記レンズカバーが装着されることを阻止するための第２のリブが設けられている。上記第２のリブは、上記マウントリングが不完全に締められているときに、上記レンズカバーが装着されると、上記マウントリングに設けられた回転レバーに当接するように構成されている。
【００１３】
従って、本発明によると、簡単な構造により、マウントリングの不完全な装着を防止することができる。
本発明によると、レンズ本体と該レンズ本体の外周面に装着され且つ外周部に爪を有するバヨネットリングとを有する投射レンズと、レンズ受け座と、該レンズ受け座に回転可能に装着されたマウントリングと、を有し、上記バヨネットリングの爪と上記マウントリングの間のバヨネット方式の締結により上記投射レンズを上記レンズ受け座に装着するように構成された投射型表示装置において、
【００１４】
上記投射レンズを保護するためのレンズカバーが設けられ、該レンズカバーには、上記マウントリングが緩む方向に回転することを阻止するための第１のリブと、上記マウントリングが不完全に締められているときに、上記レンズカバーが装着されることを阻止するための第２のリブが設けられている。
本発明の投射型表示装置によると、簡単な構造により、マウントリングの緩みと不完全な装着が防止されるから、投射レンズがレンズ受け座より脱落することが防止される。
【００１５】
【発明の実施の形態】
図１を参照して、本発明を説明する。図１は投射型表示装置に設けられた投射レンズのためのレンズのマウント構造を示す。本例によると、投射レンズ１０は本体１２とその内端部の外周面に沿って装着されたリング状のバヨネットリング１４とを有する。バヨネットリング１４の外周部には突起状の３つの爪１４ａが設けられている。３つの爪１４ａは、中心角が１２０度の等角度間隔にて配置されている。
【００１６】
投射型表示装置の本体側にはレンズ受け座プレート３０が設けられ、レンズ受け座プレート３０には投射レンズ１０の内端部を受け入れるための中心孔３４が設けられている。レンズ受け座プレート３０にはレンズ受け座２２が装着され、レンズ受け座にはマウントリング２４が回転可能に装着されている。
【００１７】
レンズ受け座２２の外周面には雄ねじが形成され、マウントリング２４の内周面には雌ねじが形成されている。両ねじの係合により、マウントリング２４はレンズ受け座２２に回転可能に装着される。
マウントリング２４の外周面には回転レバー２６が設けられ、マウントリング２４の内周面には３つの円弧状の突起２４ａが設けられている。
３つの突起２４ａを設けることにより、突起２４ａの間に３つ切り欠き部２４ｂが形成される。３つの突起２４ａ及び切り欠き部２４ｂは、バヨネットリング１４の３つの爪１４ａに対応して、中心角が１２０度の等角度間隔にて配置されている。
【００１８】
図１及び図４を参照して、投射レンズ１０をレンズ受け座２２に装着する方法を説明する。投射レンズ１０の内端部をレンズ受け座プレート３０の中心孔３４に挿入し、バヨネットリング１４の３つの爪１４ａをマウントリング２４の３つの切り欠き部２４ｂに挿入することによって、投射レンズ１０をレンズ受け座２２に着座させる。図４Ａは、投射レンズ１０をレンズ受け座２２に着座させた状態における、バヨネットリング１４の３つの爪１４ａとマウントリング２４の３つの切り欠き部２４ｂの位置関係を示す。
【００１９】
次に、マウントリング２４の回転レバー２６を指で押さえながら、マウントリング２４を右ねじが締まる方向（以下に、「右ねじ方向」という。図面では時計方向）に約６０度回転させる。図４Ｂは、マウントリング２４を約６０度回転させた状態における、バヨネットリング１４の３つの爪１４ａとマウントリング２４の３つの切り欠き部２４ｂの位置関係を示す。
【００２０】
図示のように、バヨネットリング１４の爪１４ａはマウントリング２４の円弧状の突起２４ａに係合する。マウントリング２４を右ねじ方向に回転させると、マウントリング２４とレンズ受け座２２のねじの係合により、マウントリング２４は右ねじの進む方向に、即ち、軸線方向内方に移動する。従って、バヨネットリング１４の爪１４ａの外側端面がマウントリング２４の円弧状の突起２４ａの内側端面に接触する。
【００２１】
マウントリング２４の軸線方向内方の移動によって、投射レンズ１０はレンズ受け座２２に密着して固定される。
円弧状の突起２４ａは、マウントリング２４の内周面上にて、右ねじの螺旋形状に形成されてよい。マウントリング２４を右ねじ方向に回転させると、バヨネットリング１４の爪１４ａとマウントリング２４の円弧状の突起２４ａの接触面は、螺旋に沿って移動する。即ち、マウントリング２４は、右ねじ方向の回転と同時に軸線方向内方に移動する。それによって、投射レンズ１０はレンズ受け座２２に密着して固定される。
【００２２】
次に、図２を参照して、本例のレンズのマウント構造に設けられた緩み防止機構を説明する。図２に示すように、本例の投射型表示装置には、天面側にレンズカバー４０が設けられている。レンズカバー４０を除去しないと、投射レンズ１０を取り外すことはできない。従って、レンズカバー４０は、投射レンズ１０を交換するとき、又は、投射レンズ１０を投射型表示装置の本体より取り外すときに、除去される。図２は、投射レンズ１０をレンズ受け座２２に装着した後に、レンズカバー４０を装着した状態を示す。
【００２３】
本例によると、レンズカバー４０には第１のリブ４２が設けられている。リブ４２は、マウントリング２４が緩む方向に、即ち、右ねじが緩む方向（以下に「反右ねじ方向」という。図面では、反時計方向）に回転することを阻止するためのストッパとして機能する。投射レンズ１０をレンズ受け座２２に装着後、レンズカバー４０を装着すると、レンズカバー４０のリブ４２は、マウントリング２４の回転レバー２６の反右ねじ方向の回転側（図面では、反時計方向側）に配置される。例えば、マウントリング２４の回転レバー２６の位置の中心角をθ１とすると、レンズカバー４０のリブ４２の位置の中心角θ２は少なくとも、θ１より大きい。
【００２４】
従って、マウントリング２４に対して、外力として反右ねじ方向の回転力が作用しても、マウントリング２４の回転レバー２６は、レンズカバー４０のリブ４２に当接し、マウントリング２４が反右ねじ方向に回転することが阻止される。
こうして本例では、マウントリング２４が反右ねじ方向に回転することができないから、マウントリング２４が緩むことが防止される。
【００２５】
図３を参照して、本例のレンズのマウント構造に設けられた緩み防止機構の他の例を説明する。図３に示すように、レンズカバー４０には第２のリブ４４が設けられている。第２のリブ４４は、マウントリング２４が完全に右ねじ方向（図面では時計方向）に締められていない場合には、レンズカバー４０が装着されることを阻止するためのストッパとして機能する。
【００２６】
マウントリング２４が十分に右ねじ方向（図面では時計方向）に締められていない場合、回転レバー２６の先端は、マウントリング２４の外周面より上方に突出する。従って、レンズカバー４０を装着するために、軸線方向に移動させると、レンズカバー４０のリブ４４がマウントリング２４の回転レバー２６に当接し、レンズカバー４０をそれ以上軸線方向に移動させることができない。
【００２７】
こうして本例では、マウントリング２４の回転レバー２６が上部に突出しないように、マウントリング２４を完全に右ねじ方向に回転させなければ、レンズカバー４０を装着することができない。従って、投射レンズ１０がレンズ受け座２２に不完全に密着された状態で、投射型表示装置が使用されることが回避される。
【００２８】
上述の例では、レンズカバー４０のリブ４２、４４は別個のものとして説明したが、両者は一体のものとして形成されてよい。
以上本発明の例を説明したが、本発明は上述の例に限定されるものではなく、特許請求の範囲に記載された発明の範囲にて様々な変形が可能であることは当業者に理解されよう。
【００２９】
【発明の効果】
本発明によると、レンズカバーには、ストッパとして機能する第１のリブが設けられているから、マウントリングが緩む方向に回転することが阻止される効果がある。
本発明によると、レンズカバーには、ストッパとして機能する第２のリブが設けられているから、マウントリングを締める方向に完全に回転させなければ、レンズカバーを装着することができない。従って、本発明によると、投射レンズがレンズ受け座に不完全に密着された状態で、レンズカバーを装着することができない効果がある。
【図面の簡単な説明】
【図１】本発明によるレンズのマウント構造を説明するための説明図である。
【図２】本発明によるレンズのマウント構造の第１のリブの機能を説明するための説明図である。
【図３】本発明によるレンズのマウント構造の第２のリブの機能を説明するための説明図である。
【図４】バヨネットリングの３つの爪とマウントリングの３つの切り欠き部の位置関係を示す図である。
【図５】従来のレンズのマウント構造を説明するための説明図である。
【符号の説明】
１０…投射レンズ、　１２…レンズ本体、　１４…バヨネットリング、　１４ａ…爪、　１６…レンズマウント、　１６ａ…孔、　２２…レンズ受け座、　２４…マウントリング、　２４ａ…突起、　２４ｂ…切り欠き部、　２６…回転レバー、　３０…レンズ受け座プレート、　３０ａ…ねじ孔、　３４…中心孔、
【図１】
2004054040.tif 000003
【図２】
2004054040.tif 000004
【図３】
2004054040.tif 000005
【図４】
2004054040.tif 000006
【図５】
2004054040.tif 000007